(57)【要約】  基板１０２上に配される少なくとも１の照明ユニット１０１と、前記少なくとも１の照明ユニット１０１によって発せられる光を受け、拡散するように構成される拡散素子１０３と、を有する光源が提供される。拡散素子１０３は、良好な拡散特性を得るために、照明ユニットに面する面においてより低い密度を有し、照明ユニットと反対の面においてより高い密度を有する不織布層を有する。
2008543010.tif 000002
【特許請求の範囲】
【請求項１】
基板に配される少なくとも１の照明ユニットと、
前記少なくとも１の照明ユニットによって発せられる光を受け、拡散するように構成される拡散素子と、
を有し、前記拡散素子が少なくとも１の不織布層を有する、光源であって、
前記拡散素子の密度が、前記照明ユニットと反対側の前記拡散素子の第２の面における密度と比較して、前記照明ユニットに面する前記拡散素子の第１の面において低いことを特徴とする光源。
【請求項２】
前記拡散素子が、第１の不織布層及び該第１の不織布層上に配される第２の不織布層を少なくとも有し、前記第１の不織布層は、前記基板に面しており、前記第２の不織布層の密度は、前記第１の不織布層の密度より高い、請求項１に記載の光源。
【請求項３】
前記拡散素子上に少なくとも１の白っぽいファブリック層を更に有する、請求項１又は請求項２に記載の光源。
【請求項４】
前記拡散素子上に少なくとも１の着色されたオープン構造のファブリック層を更に有する、請求項１乃至請求項３のいずれか１項に記載の光源。
【請求項５】
前記着色されたオープン構造のファブリック層が、前記白っぽいファブリック層上に配される、請求項３又は請求項４に記載の光源。
【請求項６】
前記少なくとも１の照明ユニットが、少なくとも１の発光ダイオードを有する、請求項１乃至請求項５のいずれか１項に記載の光源。
【請求項７】
少なくとも２の照明ユニットを有し、前記拡散素子が、前記照明ユニットと反対側の前記拡散素子の面上に実質的に連続する光表示を生成するために、２つの隣り合う前記照明ユニットによって発せられた光を拡散する、請求項１乃至請求項６のいずれか１項に記載の光源。
【請求項８】
第１の照明ユニット及びそれと隣り合う第２の照明ユニットを少なくとも有し、前記拡散素子が、前記第１の照明ユニットによって発せられる光を拡散する第１のドメイン及び前記第２の照明ユニットによって発せられる光を拡散する第２のドメインを有し、前記第１及び前記第２のドメインは、障壁手段によって少なくとも部分的に光学的に分離される、請求項１乃至請求項６のいずれか１項に記載の光源。
【請求項９】
前記障壁手段が、前記拡散素子上に配される光阻止マスクを有する、請求項８に記載の光源。
【請求項１０】
前記障壁手段が、前記拡散素子の前記第１の面から前記第２の面に向かって延在する非透明な壁を有する、請求項８に記載の光源。
【請求項１１】
前記障壁手段が、前記拡散素子を前記基板に接合するとじ目部を有する、請求項１０に記載の光源。
【請求項１２】
前記少なくとも１の照明ユニット及び前記基板が、半透明のカプセルに入れられる、請求項１乃至請求項１１のいずれか１項に記載の光源。
【請求項１３】
前記半透明のカプセルが、エラストマ材料を含む、請求項１２に記載の光源。
【請求項１４】
前記半透明のカプセルが、光を散乱させる成分を含む、請求項１２又は請求項１３に記載の光源。
【請求項１５】
照明ユニット上に配される光拡散素子であって、少なくとも１の不織布層を有し、前記拡散素子の密度が、前記照明ユニットと反対側にあるように適応される前記拡散素子の第２の面における密度と比較して、前記照明ユニットに面するように適応される前記拡散素子の第１の面において低い、光拡散素子。
【請求項１６】
前記拡散素子が、前記照明ユニットに面するよう配される第１の不織布層と、前記第１の不織布層上に配される第２の不織布層とを少なくとも有し、前記第２の不織布層の密度は、前記第１の不織布層の密度より高い、請求項１５に記載の光拡散素子。
【請求項１７】
前記拡散素子上に少なくとも１の白っぽいファブリック層を更に有する、請求項１５又は請求項１６に記載の光拡散素子。
【請求項１８】
更に、前記拡散素子上に、少なくとも１の着色されたオープン構造のファブリック層を更に有する、請求項１５乃至請求項１７のいずれか１項に記載の光拡散素子。
【請求項１９】
前記着色されたオープン構造のファブリック層が、前記白っぽいファブリック層上に配される、請求項１７又は請求項１８に記載の光拡散素子。
【請求項２０】
前記拡散素子が、障壁手段によって少なくとも部分的に光学的に分離される第１のドメイン及び第２のドメインを少なくとも有する、請求項１５乃至請求項１９のいずれか１項に記載の光拡散素子。
【請求項２１】
前記障壁手段が、前記拡散素子上に配される光阻止マスクを有する、請求項２０に記載の光拡散素子。
【請求項２２】
前記障壁手段が、前記拡散素子の前記第１の面から前記第２の面に向かって延在する非透明な壁を有する、請求項２０に記載の光拡散素子。
【請求項２３】
請求項１乃至請求項１４のいずれか１項に記載の光源又は請求項１５乃至請求項２２のいずれか１項に記載の光拡散素子を有する光源を有する、テキスタイル製品。
【請求項２４】
データを受信するように適応される通信手段と、
前記受信されたデータに従って前記光源から光の放出を制御する手段と、
を有する、請求項２３に記載のテキスタイル製品。
【請求項２５】
検知可能な条件を検出し、前記検出された条件に従って前記光源からの光の放出を制御するように適応されるセンサ手段を有する、請求項２３又は請求項２４に記載のテキスタイル製品。
【請求項２６】
前記センサ手段は、温度センサ、光検出器、コンパス、測位システム、圧力センサ及びマイクロフォンを含むグループから選択される、請求項２５に記載のテキスタイル製品。
【請求項２７】
枕、家具ファブリック、衣類、手袋、幕、旗、カーペット、カーテン、乗物の天井、ベッドテキスタイル、ぬいぐるみ及びバックパックを含むグループから選択される、請求項２３乃至請求項２６のいずれか１項に記載のテキスタイル製品。
【発明の詳細な説明】
【技術分野】
【０００１】
本発明は、基板に配される少なくとも１の照明ユニットと、前記少なくとも１の照明ユニットによって発せられる光を受け、拡散するように構成される拡散素子と、を有する光源に関する。更に、本発明は、光源上に配される拡散層にも関する。
【背景技術】
【０００２】
広域光を発するテキスタイルは、照光から雰囲気形成及びメッセージングにまで及ぶ広範囲にわたる新しい室内及び服飾アプリケーションを切り開く。
【０００３】
ＬＥＤは、テキスタイルとの一体化に関して前途有望な光源候補である。しかしながら、ＬＥＤは小さい点光源である。ファブリックの表面上に分布される複数のＬＥＤは、ファブリック全体が光を発することを可能にするわけではなく、光源によって覆われるファブリックのほんの一部が光を発することを可能にする。
【発明の開示】
【発明が解決しようとする課題】
【０００４】
多くの発光テキスタイルアプリケーションにおいて、ファブリック表面からの光のより一層均一な出力結合をもつことが望まれている。
【０００５】
１つの問題は、如何にして隣り合うＬＥＤ間の領域全体に各ＬＥＤから発せられる光を分布させるかである。別の問題は、ファブリック上に取り付けられるＬＥＤ光源が、通常はテキスタイルに関連する柔らかな風合いを制限することである。
【０００６】
フランステレコム社出願の国際公開第２００４／１００１１１号明細書は、織られた糸のテキスタイル支持体上に配される発光ダイオードを有し、回路が織られた糸の中に含まれる可撓性のディスプレイを記述している。これらの発光ダイオードは、点光源であり、実質的に連続する光表示を生成するために、国際公開第２００４／１００１１１号明細書は、拡散体の表面上に均質の光照射野を形成するために、隣り合う発光ダイオードからの光を拡散するためのいくつかの可能な材料を有する拡散体の使用を記述している。
【０００７】
しかしながら、この明細書は、良好な拡散効果を得るためにどのように拡散体材料を使用するかについて開示していない。
【０００８】
本発明の目的は、この問題を克服し、良好な拡散特性を具える拡散体材料を有する光源を提供することである。
【課題を解決するための手段】
【０００９】
従って、第１の見地において、本発明は、基板に配される少なくとも１の照明ユニットと、前記少なくとも１の照明ユニットによって発せられる光を受け、拡散するように構成される拡散素子と、を有し、前記拡散素子が少なくとも１の不織布層を有する、光源に関する。
【００１０】
一般の照明アプリケーションにおいて、照明ユニットと拡散性材料との間には一般に距離（空隙）があり、かかる空隙は、光源をビューワ（見る人）から隠してしまうこともある。空隙は、光が拡散性材料によって散乱される前に、光錐が広がることを可能にするために必要とされる。空隙は、均質な散乱効果のために本質的に一定なままでなければならない。
【００１１】
不織布は、繊維の機械的な絡み合いによって又は樹脂の使用、化学的合成物の熱融合及び形成によって結合される繊維ウェブから生成される。ウェブの繊維は、ランダムに又は指向性をもって配置されることができる。このように、不織材料は、本質的に、空気及び繊維の混合である。光錐の均質の拡散及び拡張を一様なやり方で確実にするために、不織布の繊維のランダムな集成が好ましい。従って、不織布の繊維のランダムな集成は、空気及び繊維材料のランダム性という拡散のための２つの本質的な要素を有する。しかしながら、必要に応じて、指向性のある不織布が、特別な効果をもたらすために使用されることができる。
【００１２】
本発明の実施形態において、不織布の密度は、照明ユニットと反対側の拡散素子の面における密度と比較して、照明ユニットに面する拡散素子の面において低くなりうる。例えば、拡散素子は、照明ユニットと隣り合って配される第１の不織布層と、前記第１の層上に配される第２の不織布層とを有することができ、前記第２の層の密度は、前記第１の層の密度より高い。
【００１３】
照明ユニットの近傍に位置する拡散素子の一部は、低い密度を有し、それゆえ照明ユニットと、拡散素子のより密度の高い部分との間に間隔を提供する。この間隔において、照明ユニットによって発せられる光錐は、光拡散の大部分が生じる拡散素子のより密度の高い部分に遭遇する前に、広がることができる。低密度の部分は、更に、光源が曲げられる等の場合でさえ、照明ユニットとより密度の高い部分との間の間隙を満足に一定に保つことを助ける。
【００１４】
拡散素子のより密度の高い部分は、光を拡散することができ、それゆえ光を含む表面に対する均質性を提供することができる。
【００１５】
光源は、拡散素子上に少なくとも１の白っぽいファブリック層を更に有することができる。ファブリックは、例えば、通常のファブリックの感触をデバイスに与えるように織られ又は編まれることができる。好適には、カバー層は、カラーフィルタリングを避けるために白であり又は白っぽい。
【００１６】
表示デバイスは、拡散体素子上にオープン構造の着色された少なくとも１のファブリック層を有することもできる。オープン構造の着色された（複数の）ファブリック層は、例えば白っぽい（複数の）ファブリックカバー層上に又は白っぽい（複数の）ファブリック層がない場合には拡散素子上に配置されることができる。オープン構造の着色された（複数の）ファブリックカバー層は、例えば網目又はレースタイプのファブリックでありうる。オープン構造の着色された（複数の）ファブリックカバー層は、表示デバイス上のコントラストを高める反射防止コーティングとして働き、（オープン構造により）オン状態においてカラーフィルタの働きをすることなく、オフ状態において表示デバイスが任意のカラーを有することを可能にする。
【００１７】
少なくとも２の照明ユニットを有する本発明の実施形態において、拡散素子は、前記照明ユニットと反対側に、すなわち光源のビューワに面する拡散素子の面に実質的に連続する光表示を生成するために、２つの隣り合う照明ユニットによって発せられる光を拡散するように構成されることができる。
【００１８】
本発明の光源の照明ユニットは、少なくとも１の発光ダイオードを有することができる。
【００１９】
発光ダイオードは、それらが一般に高効率及び低消費電力を有するので、照明ユニットとして魅力的である。
【００２０】
照明ユニットは、同じカラーの１又は複数の発光ダイオードを有することができ、又は可変カラーでありうる照明ユニットを提供するために、それぞれ異なるカラーの２又はそれ以上の発光ダイオードを有することができる。照明ユニットの発光ダイオードの各々が、独立してアドレス可能である場合、それぞれ異なるカラーが、個別の発光ダイオードからの光の強度を変えることによって提供されることができる。
【００２１】
本発明の実施形態において、光源は、少なくとも第１の照明ユニット及びそれと隣り合う第２の照明ユニットを有することができ、拡散素子は、前記第１の照明ユニットによって発せられる光を拡散する第１のドメインと、前記第２の照明ユニットによって発せられる光を拡散する第２のドメインと、を有し、前記第１及び第２のドメインは、障壁手段によって、少なくとも部分的に、光学的に分離される。
【００２２】
前記第１及び第２の拡散素子ドメインを分離する障壁手段は、例えば前記拡散素子を前記基板に接合するとじ目部を有することができる。
【００２３】
このような障壁は、それぞれ異なるカラーの隣り合う照明ユニットからの光照射野の間の境界においてカラーミキシングを防ぐ。更に、このような障壁は、光源の表面に生成される光パターンのカラー及び／又はシャープネスを高めるために、フレーム、すなわち「ピクセル」を生成する。
【００２４】
本発明の実施形態において、照明ユニット及び照明ユニットが配される基板は、半透明のカプセルに入れられる。このようなカプセル化は、例えば本発明の光源に機械的な耐摩耗性を提供することができる。カプセルは、エラストマでありうる。カプセルは、光を散乱させる成分を含むことができる。
【００２５】
第２の見地において、本発明は、光源上に配置される光拡散素子であって、光源が、少なくとも１の照明ユニットを有し、前記拡散素子が、少なくとも１の不織布層を有する、拡散素子にも関する。
【００２６】
この本発明の第２の見地の実施形態において、不織布の密度は、光源の照明ユニットと反対側の拡散素子の面における密度と比較して、照明ユニットに面するように配される拡散素子の面において低くてもよい。例えば、拡散素子は、少なくとも、照明ユニットに面するように配される第１の不織布層及び前記第１の不織布層上に配される第２の不織布層を有することができ、前記第２の層の密度は、前記第１の層の密度より高い。
【００２７】
第３の見地において、本発明は、一体化された光源及び拡散素子を有するさまざまな異なるテキスタイル製品にも関する。
【００２８】
本発明の上記及び他の見地は、本発明の今日好ましい実施形態を示す添付の図面を参照して更に詳しく記述される。
【発明を実施するための最良の形態】
【００２９】
本発明による光源の第１の実施例が、図１に示されており、基板１０２に配される発光ダイオードを各々が有する照明ユニット１０１のアレイと、アレイ上に配される光拡散体１０３と、を有する。
【００３０】
光拡散体１０３は、照明ユニット１０１に面する低密度の不織布の第１の層１０４と、第１の層１０４よりも高密度の不織布の第２の層１０５と、を有する。
【００３１】
「発光ダイオード」又は「ＬＥＤ」なる語は、ここで使用されるとき、赤外線光から紫外線光までの波長レンジの光を発することができる発光ダイオードに関する。かかる語は、更に、有機ベースのＬＥＤ、ポリマベースのＬＥＤ及び無機ベースのＬＥＤを含むすべての異なる種類のＬＥＤ及びレーザダイオードに関する。
【００３２】
本発明の照明ユニットは、１又は複数の発光ダイオードを有利に有する。しかしながら、例えば白熱バルブ、発光化学反応、その他に基づく他の照明ユニットが、更に使用されることができる。
【００３３】
「基板」なる語は、ここで使用されるとき、発光ダイオードが配される構造をさす。かかる語は、堅固であり本質的に非可撓性の基板及び可撓性の基板の両方をさす。いくつかの非可撓性の「堅固な」基板材料及び可撓性の基板材料は、当業者に知られており、基板材料は、本発明にとって本質的ではない。
【００３４】
本発明の光拡散体は、拡散体が可撓性材料からなるとき、特に「可撓性の」基板に配置される照明ユニットによって発せられる光を拡散するのに有利である。しかしながら、本発明の光拡散体は、「堅固な」基板に基づく光源上での使用にも適している。
【００３５】
「不織布」なる語は、ここで使用されるとき、ファブリックが一般に糸の織り、更に糸の繊維のねじれによって互いに結合される織布とは異なり、例えば樹脂の使用又は機械的なからみあいによって互いに結合される別個の繊維を本質的に含むファブリックをさす。
【００３６】
本発明による不織布に使用される適切な繊維材料は、これらに限定されないが、綿及びウール繊維のような天然テキスタイル繊維、ビスコースのような再生繊維、並びにポリエステル、ポリアミド（ナイロン）及びポリアクリル系繊維のような合成繊維を含む。
【００３７】
「密度」なる語は、ここで使用されるとき、それが不織布の密度に関する場合、ファブリック内の繊維の中間密度、ファブリックの平均的なメッシュサイズに対する逆数関係、２つの隣り合う繊維間の平均的な距離、をさす。
【００３８】
光拡散体１０３は、照明ユニット１０１によって発せられる光を受け、光を拡散するように構成され、それによって２つの隣り合う照明ユニットからの光は、本願明細書において拡散体のビューイング表面とも称される照明ユニットと反対側の光拡散体１０３の面１０６に実質的に連続する光表示をもたらす。
【００３９】
こうして、光拡散体によって達成される光の拡散は、少なくとも、光源の隣り合う照明ユニット間の距離のレンジ内にあるべきである。
【００４０】
より低い密度を有する不織布の第１の層１０４は、発光ダイオードを覆い、照明ユニットと、より高い密度を有する不織布の第２の層１０５との間に距離を与えるように構成される。
【００４１】
第１の層１０４は、ある程度光を拡散するだけでなく、照明ユニットと第２の層１０５との間に間隔をも与える。この間隔において、光錐は、第２の層に遭遇する前に広がる。第１の層１０４より高い密度をもつ第２の層１０５は、光拡散体の均質に照らされる表面１０６が得られるように光を拡散する。
【００４２】
第２の層１０５の或る密度及び厚さに対して、第１の層１０４の厚さ及び／又は密度は、光拡散体上に均質に照らされた表面１０６を生成するために、隣り合う照明ユニット１０１間の距離及び照明ユニット１０１によって発せられる光のブライトネスに従って変えられることができる。
【００４３】
隣り合う照明ユニット間の距離が２０ｍｍのレンジ内にある光源に適した不織材料の拡散体の１つの非制限的な例は、２０ｍｍ以上の厚さの２重層ポリエステル不織布である。最も内側の不織層は、６．５ｘ１０３ｇ／ｍ３の繊維密度を有し、厚さ１５ｍｍであり、主に、最も外側の不織層に対する間隔として役立つ。この最も外側の不織層は、拡散層を覆う薄い織られたポリエステル層の本質的に均質な照明のために、照明ユニットによって発せられる光を拡散するために、繊維密度１４ｘ１０３ｇ／ｍ３を有し、厚さ６ｍｍである。
【００４４】
図２において、少なくとも１の白っぽいファブリック層１０７が、拡散体１０３上に置かれている。白っぽいファブリックは、例えば、通常のファブリックの感触をデバイスに与えるように織られ又は編まれることができる。
【００４５】
図３に示される代替実施例において、光源は、拡散体素子１０３上に配されるオープン構造の着色された少なくとも１のファブリックカバー層１０８を有する。オープン構造の着色された（複数の）ファブリックカバー層１０８は、例えば網目又はレースタイプのファブリックでありうる。オープン構造の着色された（複数の）ファブリック層は、表示デバイス上でコントラストを高める反射防止コーティングの働きをするとともに、（オープン構造により）オン状態においてカラーフィルタの働きをすることなく、オフ状態において表示が任意のカラーを有することを可能にする。拡散体１０３上に（複数の）層１０７がある場合、オープン構造の層１０８は、このような（複数の）層の一番上に配されるべきであることが留意されるべきである。
【００４６】
本発明の第２の実施例が、図４に説明されており、基板２０４上に配される離散的な照明ユニット２０１、２０２、２０３のアレイを有している。各々の照明ユニットは、３つの個別にアドレス可能な発光ダイオード、赤２０５、緑２０６及び青２０７を有する。
【００４７】
こうして、各々の照明ユニットは、可変カラーの照明ユニット、すなわちピクセルとして機能し、それぞれ異なるカラーが、それぞれ異なる色の発光ダイオードから発せられる光の強度を変えることによって得られる。
【００４８】
第１の層２０９及び第２の層２１０を有する光拡散体２０８は、発光ダイオードによって発せられる光を受け、拡散するようにアレイ上に配される。
【００４９】
光拡散体２０８は、いくつかのドメイン、すなわち「ピクセル」２１１，２１２，２１３に分割され、光拡散体の１つのドメインは、各々の照明ユニット２０１，２０２，２０３に対応する。
【００５０】
ドメインは、第１の照明ユニット２０１によって発せられる光が、それと隣り合う照明ユニット２０２を覆う光拡散体２１２の表面上に拡散されることを防ぐために、障壁２１４によって分離される。
【００５１】
障壁２１４は、光拡散体２０８の不織布及び基板２０４を接合することによって得られる。これは、拡散体材料及び基板材料に依存して異なる態様で得られることができる。例えば、拡散体２０８は、拡散体材料が縫い目（とじ目）において本質的に不透明になるように基板に向かって拡散体材料を圧縮するやり方で、ファブリックを基板材料にとじ合わせることによって基板２０４に接合されることができる。各々の照明ユニット周囲の境界をとじ合わせることは、所望の障壁を提供する。障壁を得る他のやり方は、これらに限定されないが、照明ユニットと反対側の拡散体の表面を基板に近づけることによって拡散体材料を圧縮するために、拡散体材料を基板に対して接着し又は融解させることである。
【００５２】
カラーミキシングは、隣り合う照明ユニットからの光錐が光源を出る前に重なり合うことによる。
【００５３】
実質的なカラーミキシングを防ぎ、ゆえに光源を少なくとも部分的に光学的に分離された複数のピクセルに分割するための障壁は、複数のやり方で得られることができる。
【００５４】
カラーミキシングを防ぐ障壁は、２つの主要なグループに分けられることができる：
（ｉ）隣り合う照明ユニットからの光錐間の重なり合いを防ぎ又は低減する障壁、及び、
（ｉｉ）重なり合いは許容するが、重なり合い領域からの光を阻止し又は低減する障壁。
【００５５】
拡散素子の２つの隣り合うドメインを互いから光学的に分離するコンテクストにおいて、「光学的に分離される」とは、ここで使用されるとき、拡散素子の第１のドメインに対応する第１の照明ユニットから発する光が、拡散素子の隣り合う第２のドメインのビューイング面において容易に知覚できないようにされ、すなわち実質的なカラーミキシングが防がれることをさす。
【００５６】
「実質的なカラーミキシング」なる語は、ここで使用されるとき、光源のビューワによって容易に知覚できるカラーミキシングとして理解されるべきである。一般に、照明ユニットは、本質的にランバートパターンで光を発し、すなわち強度は、本質的に視野角に比例する。このように、隣り合う照明ユニットに向かって非常に傾いた角度で発せられる光によりカラーミキシングが生じる場合であっても、このカラーミキシングを引き起こす光の強度は、非常に低く、従ってこのカラーミキシングは、ほとんど知覚できない。
【００５７】
第１のカテゴリの例は、非透明の壁を形成することにより重なり合いを防ぐために、基板から光源のビューイング表面に向かって、すなわち基板に面するように適応される拡散体の面から拡散体のビューイング面に向かって延在する障壁を配することを含む。
【００５８】
障壁は、本質的に、ビューイング表面に向かって、基板の法線に平行に延在することができる。
【００５９】
障壁は、例えば障壁内部に漏斗形の空間を形成するように、ビューイング表面に向かって、基板の法線に非平行に延在することもできる。
【００６０】
タイプ（ｉ）の障壁を有する光源の第１の例示的な実施例において、第１の不織布層は、照明ユニットと光拡散体の働きをする第２の不織布層との間に間隔を設けるように、照明ユニットのアレイ上に配される。第１の不織材料層は、各々の照明ユニット上に不織材料の離散的な「島部」を形成する連続しない層である。照明ユニットと第２の不織材料層との間に延在する「島部」の側壁は、本質的に不透明な表面材料を有し、従って島部を互いから光学的に分離する。
【００６１】
タイプ（ｉ）の障壁を有する光源の第２の例示的な実施例において、第１の不織布層は、照明ユニットと光拡散体の働きをする第２の不織布層との間に間隔を設けるように構成される。この実施例において、第１の層は、連続しているが、各々の照明ユニットが層内の開口部に位置するように、層を通じて漏斗様の開口部を有する。漏斗部は、照明ユニットが配される基板から、第２の不織層の方へ延在する。漏斗部の側壁は、光源の効率を高めるために、反射コーティングを備えることもできる。
【００６２】
タイプ（ｉｉ）の障壁を有する光源の例示的な実施例において、第１の不織布層が、照明ユニットと、光拡散体の働きをする第２の不織布層との間に間隔を設けるように、照明ユニットのアレイ上に配置される。不織層の厚さに依存して、隣り合う照明ユニットからの光錐は、第１又は第２の不織層において混ざることが許される。本質的に不透明なマスクが、実質的なカラーミキシングが生じる位置を覆うように、光源のビューイング表面上に配され、従って、これらのカラー混合領域からの光は、光源を出ない。
【００６３】
本発明の実施例は、タイプ（ｉ）及びタイプ（ｉｉ）の障壁を有することができる。
【００６４】
当業者であれば、本発明が上述された好適な実施例に決して限定されないことが分かる。むしろ、多くの変形例及び変更例が、添付の特許請求の範囲内で可能である。例えば、必ずしも、拡散体の拡散効果は、隣り合う照明ユニット間の距離のオーダーにあるべきである必要はない。場合によっては、拡散体の表面のより不均質な照明を得ることが望まれることがあり、従ってより低い程度の拡散が望ましいことがある。
【００６５】
更に、拡散体材料が、所望の効果を得るために、２つの不織布層を有する必要はない。本発明の実施例において、光拡散体は、繊維密度が勾配を呈する、すなわち照明ユニットに面する表面においてより低い密度を有し、照明ユニットと反対側の表面においてより高い密度を有する不織布の単一層を有することができる。
【００６６】
他の実施例においては、ただ１つの均質な拡散不織布層が、所望の効果を与えるに十分である。
【００６７】
本発明の実施例において、光拡散体は、拡散材料内の光フィルタリング効果を得るために、着色された材料から作られることもできる。このような着色された拡散体は、少なくとも２つの効果を有することができる：
（ｉ）照明ユニットによって提供される或るカラーを高める。
（ｉｉ）例えば照明ユニットによって発せられる白色光を、異なる色又は色温度の光に変換することによって、拡散体におけるカラー変換を提供する。
【００６８】
本発明の実施例において、不織材料の光拡散体は、付加の層によって覆われることができる。このような層は、これらに限定されないが、光源のテキスタイル外観を与えるためのテキスタイル及びプラスチックを含む。
【００６９】
本発明の実施例において、照明ユニット及び照明ユニットが配される基板は、半透明又は透明のカプセルに入れられることができる。一般に、このカプセルは、これらに制限されないが、例えば容易に処理され利用されるシリコーン、樹脂、ゲル及びゲル様材料のような標準的な可撓性材料のようなエラストマ材料でありうる。
【００７０】
照明ユニット及び基板のカプセル化は、光源に強度及び耐摩耗性を与えるのに有利でありうる。不織材料の光拡散体は、引っ掻き及び衝突のような機械的な影響に対して照明ユニットを本質的に保護しない。
【００７１】
例えば通常の動作中、曲げられ及び／又は丸められるように適応され、それに適する光源の「可撓性の」基板の場合、エラストマのカプセルが望ましい。
【００７２】
更に、カプセルは、照明ユニットと本発明の不織材料の光拡散体との間に間隔を提供することができる。
【００７３】
更に、カプセルは、本発明の光源によって発せられる光の拡散を高めるために、例えば固体無機粒子又は空気泡／気泡のような光を散乱させる成分を含むことができる。
【００７４】
本発明の光源に関する応用分野は、これに限定されないが、光生成が望まれ、柔らかな表面及び／又は可撓性のデバイスが望まれるデバイスを含む。例は、これらに限定されないが、カーテン、家具ファブリック、乗物の天井、ベッドのテキスタイル、幕、旗、カーペット、ぬいぐるみ及び安全衣類のような衣類を含む。
【００７５】
本発明の実施例において、本発明の光源を有するデバイスは、対話的であり、通信手段及び／又はセンサに接続される。
【００７６】
一実施例において、光源は、インターネット接続インタフェース又はＧＳＭ−モジュールのような移動電話である通信手段を更に有する、対話的な枕又はぬいぐるみのような玩具に含められる。
【００７７】
通信手段は、データを受信し、受信されたデータに従って光源から光の放出を制御することができる。受信されたデータは、枕又は玩具に表示されるための、画像又はＳＭＳメッセージ若しくは電子メールとして送り出されるテキストメッセージを表すことができる。
【００７８】
このような対話的な枕又はぬいぐるみは、更に、枕への圧力を検出する圧力センサを有することができる圧力センサを有し、かかるセンサは、タッチセンシティビティ機能を可能にするための制御手段に接続される。
【００７９】
本発明の光源を有する対話的なデバイスの別の例は、例えばゲーム、アクティビティ運動、体重測定又は赤ちゃんの発達促進等を可能にするために、タッチディスプレイ機能を可能にする圧力センサを有する床マット／テーブルクロスである。
【００８０】
本発明の光源を有する対話的なデバイスの更に別の例は、デジタルコンパスに接続される光源を有する、例えば手袋又はジャケットの袖のような衣類である。このような手袋は、手袋がどの方向を指しているかを示すことが可能であり、例えば別個のカラー又はパターンによって各々の方向を示すことができ、更に、所望の方向に衣類の着用者を案内するために、ＧＰＳ（グローバルポジショニングシステム）受信器に接続されることができる。
【００８１】
本発明の光源を有する対話的なデバイスの更に別の例は、オーディオプレーヤ及びスピーカを更に有するバックパックであり、この場合、オーディオシステムは、例えばオーディオイコライザ信号、周囲パターン又はソングコンテンツ記述のような音関連の情報を表示するために、光源に接続される。
【図面の簡単な説明】
【００８２】
【図１】本発明による光源の例示的な実施例の断面図。
【図２】本発明による光源の別の例示的な実施例の断面図。
【図３】本発明による光源の別の例示的な実施例の断面図。
【図４】本発明による光源の別の例示的な実施例の断面図。
【図１】
2008543010.tif 000003
【図２】
2008543010.tif 000004
【図３】
2008543010.tif 000005
【図４】
2008543010.tif 000006
【国際調査報告】
2008543010.tif 000007
2008543010.tif 000008